(57)【要約】【課題】ドアスコープを介した状態とドアスコープを介さない状態との両方において鮮明に撮像できる撮像装置を提供する。【解決手段】撮像装置２は、本体２０及び取付板１０を備える。本体２０は、近景に焦点を合わされたカメラ２１を有する。取付板１０は、第１孔部１１、第１孔部１１と異なる位置に設けられた第２孔部１２、及び、第２孔部１２内に配置されてカメラ２１と対向した状態でカメラに入射する光の結像状態を変化させる補正レンズ１３Ａを有する。本体２０は、カメラ２１が第１孔部１１又は第２孔部１２に選択的に対向するように取付板１０に着脱自在にされる。取付板１０は、ドア１００に装着されたドアスコープ２００を通る光が第１孔部１１内を通過するようにドア１００の内側面に取り付け自在にする取付構造をさらに有する。【選択図】図１
2008148010.tif 000002
【特許請求の範囲】
【請求項１】
近景に焦点を合わされたカメラを有する本体と、
第１孔部、前記第１孔部と異なる位置に設けられた第２孔部、及び、前記第２孔部内に配置されて前記カメラと対向した状態で前記カメラに入射する光の結像状態を変化させる補正レンズを有する取付板と、を備え、
前記本体は、前記カメラが前記第１孔部又は前記第２孔部に選択的に対向するように前記取付板に着脱自在にされ、
前記取付板は、ドアに装着されたドアスコープを通る光が前記第１孔部内を通過するように前記ドアの内側面に取り付け自在にする取付構造をさらに有することを特徴とする撮像装置。
【請求項２】
前記取付構造は、前記光の光軸方向に前記ドアスコープが前記第１孔部又は前記第２孔部に選択的に挿入されるように構成され、
前記第１孔部の内径及び前記第２孔部の内径のそれぞれは、２種類のドアスコープのそれぞれの前記第１孔部又は前記第２孔部に挿入されるべき軸部の互いに異なる外径に略等しいことを特徴とする請求項１に記載の撮像装置。
【請求項３】
前記第２孔部は、前記取付板の中心位置回りに前記第１孔部の回転対称となる位置に配置されていることを特徴とする請求項１又は２に記載の撮像装置。
【請求項４】
請求項１から３のいずれかに記載の撮像装置を備え、
前記本体は、前記カメラが撮像した画像の画像データを送信する送信部をさらに有し、
前記送信部から送信された画像データを受信する受信部、及び、前記受信部で受信した画像データの画像を表示する表示部を有する表示装置をさらに備えることを特徴とする撮像システム。
【発明の詳細な説明】
【技術分野】
【０００１】
この発明は、カメラを有する本体と、ドアスコープを有するドアに本体を取り付けるための取付板と、を備える撮像装置、及び、撮像システムに関する。
【背景技術】
【０００２】
ドアスコープを介してドアの外部を撮像する撮像装置が、従来から知られている（例えば、特許文献１参照。）。ドアスコープは、人が目視によって使用することを想定して構成されており、来訪者があった際にドアの内部から外部を広い範囲で視認できるように、魚眼レンズを備えている。従来の撮像装置は、ドアスコープの魚眼レンズを介して入射した光をカメラに結像させるための結像レンズを備えており、カメラの焦点がドアの外部の近景（例えば、カメラから３６５ｍｍの位置）に合わされている。
【特許文献１】実開平２−１４３８８６号公報
【発明の開示】
【発明が解決しようとする課題】
【０００３】
しかし、従来の撮像装置では、結像レンズによってカメラの焦点がドアの外部の近景に固定されているので、撮像装置をドアから取り外してドアスコープを介さない状態で、遠景（例えば、カメラから３６５ｍｍより遠い位置）を撮像した場合、被写体に焦点が合わない。このため、従来の撮像装置をドアスコープから取り外して使用することは困難である。
【０００４】
この発明の目的は、ドアスコープを介した状態とドアスコープを介さない状態との両方において鮮明に撮像できる撮像装置を提供することにある。
【課題を解決するための手段】
【０００５】
この発明の撮像装置は、本体及び取付板を備える。本体は、近景に焦点を合わされたカメラを有する。取付板は、第１孔部、前記第１孔部と異なる位置に設けられた第２孔部、及び、前記第２孔部内に配置されて前記カメラと対向した状態で前記カメラに入射する光の結像状態を変化させる補正レンズを有する。本体は、カメラが第１孔部又は第２孔部に選択的に対向するように取付板に着脱自在にされる。取付板は、ドアに装着されたドアスコープを通る光が第１孔部内を通過するようにドアの内側面に取り付け自在にする取付構造をさらに有する。
【０００６】
取付構造は、光の光軸方向にドアスコープが第１孔部又は第２孔部に選択的に挿入されるように構成することもできる。第１孔部の内径及び第２孔部の内径のそれぞれは、例えば、２種類のドアスコープのそれぞれの第１孔部又は第２孔部に挿入されるべき軸部の互いに異なる外径に略等しくされる。
【０００７】
第２孔部は、例えば、取付板の中心位置回りに第１孔部の回転対称となる位置に配置される。
【０００８】
この発明の撮像システムは、上述のような撮像装置の他に、表示装置を備える。本体は、カメラが撮像した画像の画像データを送信する送信部をさらに有する。表示装置は、送信部から送信された画像データを受信する受信部、及び、受信部で受信した画像データの画像を表示する表示部を有する。
【発明の効果】
【０００９】
この発明の撮像装置によれば、ドアスコープを装着されたドアへ取り付けられた状態では、ドアスコープを介してドアの外部の近景を鮮明に撮像することができる。また、ドアから取り外された状態では、補正レンズとカメラとが対向するように本体を取付板に取り付けることで、ドアスコープを介さない状態で、遠景を鮮明かつ容易に撮像することができる。
【００１０】
さらに、補正レンズが取付板に備わっているので、補正レンズを、必要なときに即時に且つ容易に使用できるとともに、補正レンズの紛失を防止することができる。
【発明を実施するための最良の形態】
【００１１】
以下に、この発明を実施するための最良の形態について、図面に基づいて説明する。図１は、この発明の実施形態に係る撮像装置２のドア１００に取り付けられた状態での使用状態を示す側面断面図である。図２（Ａ）は、撮像装置２の取付板１０の構成を示す正面図であり、図２（Ｂ）は、本体２０の構成を示す正面図である。図３は、撮像システム１の表示装置３０の構成を示す正面図である。
【００１２】
撮像システム１は、取付板１０及び本体２０からなる撮像装置２、並びに、表示装置３０を備えている。
【００１３】
取付板１０は、ドア１００に既設のドアスコープ２００を介してドアの内側面に取り付けられる。ドアスコープ２００は、内側部材２１０と外側部材２２０とからなる。内側部材２１０は、フランジ部２１１と軸部２１２とからなる。フランジ部２１１は、軸部２１２の内側端部に形成されている。軸部２１２内には、外側端部に開放した雌ねじ部２１３が形成されている。外側部材２２０は、フランジ部２２１及び雄ねじ部２２２からなる。フランジ部２２１には、レンズ２２３が装着されている。レンズ２２３として、一般的に魚眼レンズが用いられる。雄ねじ部２２２は、中空形状にされており、雌ねじ部２１３に螺合する。
【００１４】
取付板１０は、第１孔部１１及び第２孔部１２を有する。この実施形態では、第１孔部１１に、ドアスコープ２００の軸部２１２が嵌入している。取付板１０は、第１孔部１１に軸部２１２が嵌入した内側部材２１０のフランジ部２１１とドア１００の内側面との間に挟持されることで、ドア１００に取り付けられている。この実施形態では、第１孔部１１はこの発明の取付構造に相当する。軸部２１２が嵌入できるように第１孔部１１が形成されていることで、ドアスコープ２００を通る光が第１孔部１１内を通過するように、取付板１０がドア１００の内側面に取り付け自在にされている。
【００１５】
第１孔部１１及び第２孔部１２の内径は、ドアスコープ２００のフランジ部２１１の外径よりも小さくされている。第１孔部１１及び第２孔部１２の内径は、既存のドアスコープのうち、市場シェアの高い２種類のドアスコープの軸部２１２のそれぞれの外径に略等しくされている。第２孔部１２の内径は、第１孔部１１の内径よりも大きい。一例として、第１孔部１１の内径は１２ｍｍにされており、第２孔部１２の内径は１４ｍｍにされている。
【００１６】
第２孔部１２は、取付板１０の中心位置回りに第２孔部１２の回転対称となる位置に形成されている。特に、第２孔部１２は、取付板１０の中心位置回りに第２孔部１２の１８０度回転対称となる位置に形成されていることが好ましい。取付板１０を含む面内で取付板１０を中心位置回りに１８０度回転させることで、取付板１０と本体２０との位置決めが容易になるからである。この実施形態では、図２（Ａ）に示すように第１孔部１１及び第２孔部１２はともに、水平方向における中央部に設けられているが、これに限定されない。
【００１７】
軸部２１２の外径が１２ｍｍのドアスコープ２００がドア１００に既設されている場合、第１孔部１１が第２孔部１２の上側になるようにして取付板１０をドア１００に取り付ける。この場合、図１及び図２（Ａ）に示すように、レンズ体１３は、第２孔部１２内に配置されるように取付板１０に装着される。
【００１８】
軸部２１２の外径が１４ｍｍのドアスコープ２００がドア１００に既設されている場合、第２孔部１２が第１孔部１１の上側になるようにして取付板１０をドア１００に取り付ける。この場合、レンズ体１３は、第１孔部１１内に配置されるように取付板１０に装着される。第２孔部１２には、ドアスコープ２００の軸部２１２が嵌入する。この場合は、第２孔部１２がこの発明の取付構造に相当する。取付構造は、ドアスコープ２００を通る光の光軸方向にドアスコープ２００が第１孔部１１又は第２孔部１２に選択的に挿入されるように構成される。
【００１９】
レンズ体１３は、補正レンズ１３Ａ及び枠体１３Ｂからなる。補正レンズ１３Ａは枠体１３Ｂ内に配置されている。一例として、枠体１３Ｂはゴム等の弾力性を有する部材で形成され、弾性力によって第２孔部１２内に着脱自在に装着されている。このため、レンズ体１３は、第２孔部１２内のみならず、第１孔部１１内にも装着可能である。
【００２０】
なお、レンズ体１３は、ねじ等によって取付板１０に着脱自在に装着することもできる。また、取付板１０は、ドアスコープ２００を介さずに、ねじ等によってドア１００の内側面に取り付けることもできる。ドアスコープ２００は、必ずしもフランジ部２１１を有する必要はなく、ドア１００の内側面より内部側に突出しないように構成することもできる。
【００２１】
取付板１０は、一例として、磁性体材料で形成されている。
【００２２】
本体２０は、カメラ２１、画像処理回路２３、送信回路２４及び電源２５等を内蔵し、取付板１０に着脱自在に取り付けられる。カメラ２１は、画像センサ２１Ａ及び結像レンズ２１Ｂを有する。画像センサ２１Ａとして、例えばＣＭＯＳセンサが用いられる。本体２０は、上部であってカメラ２１を挟む両側の位置に、マグネット２６，２７を備えている。本体２０は、マグネット２６，２７の磁気吸引力によって取付板１０に着脱自在に取り付けられる。
【００２３】
本体２０は、取付板１０と対向する側の面に、ドアスコープ２００のフランジ部２１１を収納し得る凹部２９を有する。撮像装置２がドア１００に取り付けられる際に、凹部２９内にフランジ部２１１が収められることで、撮像装置２がドア１００にガタが生じないように取り付けられる。
【００２４】
図２（Ｂ）に示すように、本体２０の筐体のうち取付板１０に対向する面の外周に、突起部２８が形成されている。突起部２８は、取付板１０の外形に相当する形状の凹凸を形成している。突起部２８によって、ドアスコープ２００を通る光が正確にカメラ２１に入射するように、又は、カメラ２１と補正レンズ１３Ａとが適切に対向するように、本体２０と取付板１０とを正確に位置決めすることができる。
【００２５】
また、マグネット２６，２７が取付板１０の上部であってカメラ２１を挟む両側の位置に備えられているので、ドアスコープ２００又は補正レンズ１３Ａに対するカメラ２１の位置がより固定されやすく、ドアスコープ２００又は補正レンズ１３Ａを介して鮮明に撮像することができる。
【００２６】
なお、取付板１０が非磁性体材料で形成されている場合は、取付板１０に磁性体の金属部材を固定し、本体２０のうち金属部材に対向する位置のそれぞれにマグネットを固定することで、金属部材とマグネットとの磁気吸引力によって本体２０を取付板１０に着脱自在に取り付けることができる。
【００２７】
また、本体２０は、ネジ等の係合部材を介して取付板１０に着脱自在に取り付けることもできる。
【００２８】
撮像装置２がドア１００に取り付けられた状態で、カメラ２１は、レンズ２２３を介してドア１００の外部を撮像する。カメラ２１の焦点は、結像レンズ２１Ｂによってドア１００の外部の近景（例えば、カメラ２１から３６５ｍｍの位置）に合わされている。このため、ドア１００に取り付けられた状態で、撮像装置２は、ドアスコープ２００を介してドア１００の外部の近景を鮮明に撮像することができる。
【００２９】
画像処理回路２３は、カメラ２１が撮像した画像に所定の画像処理を施し、画像処理後の画像の画像データを送信回路２４に供給する。送信回路２４は、画像データを図３に示す表示装置３０に送信する。送信回路は、この発明の送信部に相当する。電源２５は、カメラ２１、画像処理回路２３及び送信回路２４に電力を供給する。電源２５として、この実施形態では乾電池が用いられているので、本体２０に電力を供給するための配線が不要である。
【００３０】
図３に示すように、表示装置３０は、液晶ディスプレイ等の表示部３１、受信回路３２、画像処理回路３３、及び、電源入切ボタン３４を備えている。表示装置３０は、ドア１００から離れた位置に配置される。
【００３１】
受信回路３２は、この発明の受信部に相当し、本体２０の送信回路２４から送信された画像データを受信して、画像処理回路３３に供給する。画像処理回路３３は、受信回路３２で受信した画像データを表示部３１へ表示する。電源入切ボタン３４が押下される毎に、表示部３１、受信回路３２及び画像処理回路３３への電力の供給状態が、入と切とに切り換えられる。電源入切ボタン３４が押下されて電力の供給状態が入にされることで、ドア１００の外部の状況が、表示部３１に表示されてユーザに視認される。
【００３２】
この実施形態では、表示装置３０は、一般商用電源から電力の供給を受けているが、乾電池等の電源を内蔵することもできる。
【００３３】
図４は、ドア１００から取り外された状態での撮像装置２の使用状態を示す側面断面図である。
【００３４】
撮像装置２は、ドア１００から取り外した状態で使用することもできる。撮像装置２をドア１００から取り外した状態で使用する場合、取付板１０を中心位置回りに１８０度回転させた状態で、取付板１０と本体２０とをマグネット２６，２７の磁気吸引力によって取り付ける。これによって、第１孔部１１に代えて第２孔部１２をカメラ２１に対向させ、補正レンズ１３Ａを通った光をカメラ２１に入射させる。
【００３５】
補正レンズ１３Ａとして、例えば、カメラ２１の焦点を遠景に合わすレンズが用いられる。カメラ２１が補正レンズ１３Ａを通して撮像することで、カメラ２１の焦点は遠景（例えば、カメラ２１から３６５ｍｍより遠い位置）に合わされる。したがって、撮像装置２は、ドア１００から取り外されてドアスコープ２００を介さない状態で、遠景を鮮明かつ容易に撮像することができる。
【００３６】
また、レンズ体１３が取付板１０に装着されているので、レンズ体１３を別途に用意する手間なく、必要なときに即時に且つ容易に使用することができるとともに、補正レンズ１３Ａの紛失を防止することができる。
【００３７】
補正レンズ１３Ａとして、カメラ２１で撮像される画像の画角を広げるレンズを用いることもできる。これによれば、撮像装置２をドア１００の内部の室内に向けて配置した際に、室内の大部分の領域を撮像することができる。
【００３８】
表示装置３０として、携帯電話を用いることもできる。これによれば、留守中の室内に向けて撮像装置２を配置することで、外出先から室内の様子を視認することができる。
【００３９】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００４０】
【図１】この発明の実施形態に係る撮像装置のドアに取り付けられた状態での使用状態を示す側面断面図である。
【図２】（Ａ）は、撮像装置の取付板の構成を示す正面図であり、（Ｂ）は、本体の構成を示す正面図である。
【図３】撮像システムの表示装置の構成を示す正面図である。
【図４】ドアから取り外された状態での撮像装置の使用状態を示す側面断面図である。
【符号の説明】
【００４１】
１  撮像システム
２  撮像装置
１０  取付板
１１  第１孔部（孔部）
１２  第２孔部（貫通孔）
１３  レンズ体
１３Ａ  補正レンズ
２０  本体
２１  カメラ
２４  送信回路（送信部）
２６，２７  マグネット
２８  突起部
３０  表示装置
３１  表示部
３２  受信回路（受信部）
１００  ドア
２００  ドアスコープ
２１２  軸部
【図１】
2008148010.tif 000003
【図２】
2008148010.tif 000004
【図３】
2008148010.tif 000005
【図４】
2008148010.tif 000006